(57)【要約】
【課題】  弾性椅子におけるマッサージ部材をカバーすることにより、座りの快適性を向上する弾性椅子のマッサージ部材専用のカバーを提供する。
【解決手段】  軟性材質から成るカバー（１０）を有し、該カバー（１０）に上、下辺に着脱可能の接合部材（１１）が設けられ、カバー（１０）の上、下辺を接合すると共に、両側に開口部（１３）を有する収容空間（１２）が形成され、カバー（１０）に弾性椅子のマッサージ部材の形状、数量に対応する拡大状の結合部（１４）が設けられることを特徴とする。
【選択図】  図１
0003100612.tif 000002
【実用新案登録請求の範囲】
【請求項１】
軟性材質から成るカバー（１０）を有し、該カバー（１０）の上、下辺に着脱可能の接合部材（１１）が設けられ、カバー（１０）の上、下辺を接合すると共に、両側に開口部（１３）を有する収容空間（１２）が形成され、カバー（１０）に弾性椅子のマッサージ部材の形状、数量に対応する拡大状の結合部（１４）が設けられることを特徴とする弾性椅子のマッサージ部材専用のカバー。
【請求項２】
前記接合部材（１１）はチャックであることを特徴とする請求項１に記載の弾性椅子のマッサージ部材専用のカバー。
【請求項３】
前記接合部材（１１）はベルクロであることを特徴とする請求項１に記載の弾性椅子のマッサージ部材専用のカバー。
【考案の詳細な説明】
【技術分野】
【０００１】
本考案は、特に弾性椅子におけるマッサージ部材をカバーすることにより、座りの快適性を向上する弾性椅子のマッサージ部材専用のカバーに関するものである。
【背景技術】
【０００２】
図４に示すように、従来の弾性椅子（２０）は椅子のフレームに複数の弾性紐状体（２１）が平行に設けられると共に、フレームにおける固定ブロック（２２）によってこれら弾性紐状体（２１）の両端を固定することにより、通気性を確保している。又、椅子の背凭れと座の両側における固定ブロック（２２）に、内部に軟性物を充填する側カバー（２３）（２４）が設けられることにより、座りの快適感を向上すると共に、通気性を確保している。
【０００３】
又、前記弾性椅子（２０）における弾性紐状体（２１）にマッサージ部（２５１）を有するマッサージ部材（２５）が設けられることにより、マッサージ効果を提供することができる。
【考案の開示】
【考案が解決しようとする課題】
【０００４】
しかしながら、前記弾性椅子（２０）は優れた通気性、快適性及びマッサージ効果を有するが、使用者がマッサージ部材（２５）と接触する際、該マッサージ部材（２５）が使用者に不快感を与え、又、マッサージ部材（２５）の電源コードが外側に露出されるので、美観性に悪影響を与え、更に、マッサージ部材（２５）の作動に伴い、騒音を発生していた。
【０００５】
そこで、案出されたのが本考案であって、弾性椅子におけるマッサージ部材をカバーすることにより、座りの快適性を向上する弾性椅子のマッサージ部材専用のカバーを提供することを目的としている。
【課題を解決するための手段】
【０００６】
本願の請求項１の考案は、軟性材質から成るカバー（１０）を有し、該カバー（１０）の上、下辺に着脱可能の接合部材（１１）が設けられ、カバー（１０）の上、下辺を接合すると共に、両側に開口部（１３）を有する収容空間（１２）が形成され、カバー（１０）に弾性椅子のマッサージ部材の形状、数量に対応する拡大状の結合部（１４）が設けられることを特徴とする弾性椅子のマッサージ部材専用のカバーである。
【０００７】
また、本願の請求項２の考案は、前記接合部材（１１）はチャックであることを特徴とする請求項１に記載の弾性椅子のマッサージ部材専用のカバーである。
【０００８】
また、本願の請求項３の考案は、前記接合部材（１１）はベルクロであることを特徴とする請求項１に記載の弾性椅子のマッサージ部材専用のカバーである。
【考案の効果】
【０００９】
本考案によれば、軟性の充填物を充填できるカバーが弾性椅子のマッサージ部材にカバーすることにより、椅子の美観性及び座りの快適感を向上すると共に、マッサージ部材より発生する騒音を減少することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る弾性椅子のマッサージ部材専用のカバーの斜視図であり、図２は本考案に係る弾性椅子のマッサージ部材専用のカバーの使用状態を示す斜視図であり、図３は本考案に係る弾性椅子のマッサージ部材専用のカバーの使用状態を示す平面図である。
【００１２】
図１に示すように、本考案に係る弾性椅子のマッサージ部材専用のカバー（１０）は皮又は織物などの軟性材質から成り、該カバー（１０）の上、下辺に着脱可能の接合部材（１１）が設けられている。この接合部材（１１）は、例えばチャック、押圧ボタン又はベルクロが用いることができ、本実施形態ではチャックを接合部材（１１）として使用している。又、図２に示すように、カバー（１０）の上、下辺は、接合部材（１１）で接合され、両側に開口部（１３）を有する収容空間（１２）が形成される。又、このカバー（１０）に弾性椅子（２０）の弾性紐状体（２１）におけるマッサージ部材（２５）の形状、数量に対応する拡大状の結合部（１４）が設けられる。
【００１３】
図２及び図３に示すように、本考案に係るマッサージ部材専用のカバーは弾性椅子（２０）の弾性紐状体（２１）におけるマッサージ部材（２５）に使用する場合、カバー（１０）の結合部（１４）の内側を弾性紐状体（２１）におけるマッサージ部材（２５）と接触させると共に、カバー（１０）における接合部材（１１）を接合することにより、カバー（１０）を二本の弾性紐状体（２１）に設置させる。
【００１４】
前記二本の弾性紐状体（２１）におけるマッサージ部材（２５）がカバー（１０）の収容空間（１２）に収容され、カバー（１０）の両側が固定ブロック（２２）に接触すると共に、該弾性紐状体（２１）がカバー（１０）の開口部（１３）から延出されることにより、カバー（１０）が弾性紐状体（２１）に設けられる。
【００１５】
本考案に係るマッサージ部材専用のカバーは一対の弾性紐状体（２１）に設置すると共に、カバー（１０）同士の間に隙間を有するので、通気性に悪影響を与えず、又、収用空間（１２）の内部に弾性を有する充填物を設けることにより、座りの快適性を向上することができる。
【産業上の利用可能性】
【００１６】
本考案は上記の構成を有するので、軟性の充填物を充填できるカバーが弾性椅子のマッサージ部材をカバーすることにより、椅子の美観性及び座りの快適感を向上すると共に、マッサージ部材より発生する騒音を減少することができる。
【図面の簡単な説明】
【００１７】
【図１】本考案に係る弾性椅子のマッサージ部材専用のカバーの斜視図である。
【図２】本考案に係る弾性椅子のマッサージ部材専用のカバーの使用状態を示す斜視図である。
【図３】本考案に係る弾性椅子のマッサージ部材専用のカバーの使用状態を示す平面図である。
【図４】従来の弾性椅子の斜視図である。
【符号の説明】
【００１８】
１０        カバー
１１        接合部材
１２        収容空間
１３        開口部
１４        結合部
２０        弾性椅子
２１        弾性紐状体
２２        固定ブロック
２３        側カバー
２４        側カバー
２５        マッサージ部材
２５１      マッサージ部
【図１】
0003100612.tif 000003
【図２】
0003100612.tif 000004
【図３】
0003100612.tif 000005
【図４】
0003100612.tif 000006
【手続補正書】
【提出日】平成15年11月4日(2003.11.4)
【手続補正１】
【補正対象書類名】実用新案登録請求の範囲
【補正対象項目名】請求項３
【補正方法】変更
【補正の内容】
【請求項３】
前記接合部材（１１）は面ファスナーであることを特徴とする請求項１に記載の弾性椅子のマッサージ部材専用のカバー。
【手続補正２】
【補正対象書類名】明細書
【補正対象項目名】０００８
【補正方法】変更
【補正の内容】
【０００８】
また、本願の請求項３の考案は、前記接合部材（１１）は面ファスナーであることを特徴とする請求項１に記載の弾性椅子のマッサージ部材専用のカバーである。
【手続補正３】
【補正対象書類名】明細書
【補正対象項目名】００１２
【補正方法】変更
【補正の内容】
【００１２】
図１に示すように、本考案に係る弾性椅子のマッサージ部材専用のカバー（１０）は皮又は織物などの軟性材質から成り、該カバー（１０）の上、下辺に着脱可能の接合部材（１１）が設けられている。この接合部材（１１）は、例えばチャック、押圧ボタン又は面ファスナーが用いることができ、本実施形態ではチャックを接合部材（１１）として使用している。又、図２に示すように、カバー（１０）の上、下辺は、接合部材（１１）で接合され、両側に開口部（１３）を有する収容空間（１２）が形成される。又、このカバー（１０）に弾性椅子（２０）の弾性紐状体（２１）におけるマッサージ部材（２５）の形状、数量に対応する拡大状の結合部（１４）が設けられる。